(57)【要約】【課題】モノ−Ｎ−スルホン化ジアミン類の製造を、効率的な方法で良好な選択率で可能にする方法。【解決手段】水、塩基及び有機溶剤の存在でジアミン類をハロゲン化スルホニル類と反応させる。【選択図】　　　なし【特許請求の範囲】
【請求項１】
式（Ｉ）
【化１】
2004043463.tif 000007
［式中、
Ｒ１及びＲ２はそれぞれ独立してＣ１〜Ｃ２０−アルキル、Ｃ４〜Ｃ１５−アリール又はＣ５〜Ｃ１６−アリールアルキルを表すか、又はＲ１及びＲ２は一緒になって直鎖状又は分枝鎖状のＣ３〜Ｃ１２−アルキレン基を表し、かつ
Ｒ３はＣ１〜Ｃ２０−アルキル、Ｃ１〜Ｃ２０−フルオロアルキル又はＣ４〜Ｃ１５−アリールを表す］で示される化合物の製造方法において、
式（ＩＩ）
【化２】
2004043463.tif 000008
［式中、
Ｒ１、Ｒ２及びＲ３は式（Ｉ）の項で定義された意味を表す］で示されるジアミン類を、
−水の存在で、及び
−有機溶剤の存在で、及び
−塩基の存在で、
式（ＩＩＩ）
Ｒ３ＳＯ２Ｘ　（ＩＩＩ）
［式中、
Ｘはフッ素、塩素、臭素又はヨウ素を表し、かつ
Ｒ３は式（Ｉ）の項で定義された意味を表す］で示されるハロゲン化スルホニル類と反応させることを特徴とする、式（Ｉ）の化合物の製造方法。
【請求項２】
式（Ｉ）
【化３】
2004043463.tif 000009
［式中、
Ｒ１及びＲ２はそれぞれ独立してＣ１〜Ｃ２０−アルキル、Ｃ４〜Ｃ１５−アリール又はＣ５〜Ｃ１６−アリールアルキルを表すか、又はＲ１及びＲ２は一緒になって直鎖状又は分枝鎖状のＣ３〜Ｃ１２−アルキレン基を表し、かつ
Ｒ３はＣ１〜Ｃ２０−アルキル、Ｃ１〜Ｃ２０−フルオロアルキル又はＣ４〜Ｃ１５−アリールを表す］で示される化合物を含有している溶液において、
ａ）式（ＩＩ）
【化４】
2004043463.tif 000010
［式中、
Ｒ１、Ｒ２及びＲ３は式（Ｉ）の項で定義された意味を表す］で示される化合物を、
−水の存在で、及び
−有機溶剤の存在で、及び
−塩基の存在で、
式（ＩＩＩ）
Ｒ３ＳＯ２Ｘ　（ＩＩＩ）
［式中、
Ｘはフッ素、塩素、臭素又はヨウ素を表し、かつ
Ｒ３は式（Ｉ）の項で定義された意味を表す］で示されるハロゲン化スルホニル類と反応させ、かつ
ｂ）少なくとも部分的に水を除去する
ことにより得ることができることを特徴とする、式（Ｉ）の化合物を含有する溶液。
【請求項３】
ａ）式（ＩＩ）
【化５】
2004043463.tif 000011
［式中、
Ｒ１及びＲ２はそれぞれ独立してＣ１〜Ｃ２０−アルキル、Ｃ４〜Ｃ１５−アリール又はＣ５〜Ｃ１６−アリールアルキルを表すか、又はＲ１及びＲ２は一緒になって直鎖状又は分枝鎖状のＣ３〜Ｃ１２−アルキレン基を表す］で示される化合物を、
−水の存在で、及び
−有機溶剤の存在で、及び
−塩基の存在で、
式（ＩＩＩ）
Ｒ３ＳＯ２Ｘ　（ＩＩＩ）
［式中、Ｘはフッ素、塩素、臭素又はヨウ素を表し、かつ
Ｒ３はＣ１〜Ｃ２０−アルキル、Ｃ１〜Ｃ２０−フルオロアルキル又はＣ４〜Ｃ１５−アリールを表す］で示されるハロゲン化スルホニル類と反応させ、
ｂ）少なくとも部分的に水を除去し、かつ
ｃ）段階ｂ）において得られた溶液を、
式（ＩＶ）
［ＭＸｎ（Ｒ４）］２　（ＩＶ）
［式中、
Ｍは、ルテニウム、ロジウム又はイリジウムを表し、
Ｒ４は、環炭素原子６〜１２個を有し、かつそれぞれ独立してＣ１〜Ｃ８−アルキル、ベンジル及びフェニルの群から選択されている６個までの基で置換されていてよい芳香族化合物を表すか、又はそれぞれ５個までの基で置換されたシクロペンタジエニル又はインデニルを表し、かつ
Ｘは、例えば及び好ましくは塩素、臭素又はヨウ素を表し、特に好ましくは塩素を表し、かつ
ｎは、Ｍがルテニウムを表す場合には、２であり、
ｎは、Ｍがロジウム又はイリジウムを表す場合には、１である］で示される化合物と反応させることにより得ることができる触媒。
【発明の詳細な説明】
【０００１】
【発明の属する技術分野】
本発明は、水、塩基及び有機溶剤の存在で、ジアミン類とハロゲン化スルホニル類とを反応させることにより、モノ−Ｎ−スルホニル化ジアミン類を製造する方法、該化合物の溶液、及び水素化触媒に関する。
【０００２】
【従来の技術】
特に光学活性形の、モノ−Ｎ−スルホニル化ジアミン類は、例えば触媒作用における配位子として高度に工業的に重要であることが証明されている（例えばＮｏｙｏｒｉ他　Ｊ．　Ａｍｅｒ．　Ｃｈｅｍ．　Ｓｏｃ．　１９９５，　１１７，　７５６２参照）。
【０００３】
モノ−Ｎ−スルホニル化ジアミン類の製造は原則的に公知である。例えば、Ｒ．Ａ．　Ｓｈｅｌｄｏｎ他，　Ｅｕｒ．　Ｊ．　Ｏｒｇ．　Ｃｈｅｍ．　１９９９，　２３１５には、トリエチルアミンの存在でのハロゲン化スルホニル類を用いてのジアミン類からのその製造が記載されている。
【０００４】
しかしながら、この方法に不利なのは、通常、費用のかかるクロマトグラフ分離にかけられなければならない、未スルホン化生成物、モノ−Ｎ−スルホン化生成物及びジ−Ｎ−スルホン化生成物の混合物が生じることである（ＥＰ−Ａ　１　１７４　４２６も参照）。選択率は、公知方法の場合に、所望のモノ−Ｎ−置換ジアミンに対して３０〜８５％に達し、このことは、工業的な実施には不満足である。
【０００５】
【特許文献１】
ＥＰ−Ａ　１　１７４　４２６
【非特許文献１】
Ｎｏｙｏｒｉ他　Ｊ．　Ａｍｅｒ．　Ｃｈｅｍ．　Ｓｏｃ．　１９９５，　１１７，　７５６２
【非特許文献２】
Ｒ．　Ａ．　Ｓｈｅｌｄｏｎ他，　Ｅｕｒ．　Ｊ．　Ｏｒｇ．　Ｃｈｅｍ．　１９９９，　２３１５
【非特許文献３】
Ｚａｓｓｉｎｏｖｉｃｈ他，　Ｃｈｅｍ．　Ｒｅｖ．　１９９２，　９２，　１０５１−１０６９
【非特許文献４】
Ｎｏｙｏｒｉ他，　Ａｃｃ．　Ｃｈｅｍ．　Ｒｅｓ．　１９９７，　３０，　９７−１０２
【非特許文献５】
Ｗｉｌｌｓ他，　Ｔｅｔｒａｈｅｄｒｏｎ，　Ａｓｙｍｍｅｔｒｙ，　１９９９，　２０４５
【０００６】
【発明が解決しようとする課題】
故に、モノ−Ｎ−スルホン化ジアミン類の製造を、効率的な方法で良好な選択率で可能にする方法を提供するという需要が存在した。
【０００７】
【課題を解決するための手段】
ところで、式（Ｉ）
【０００８】
【化６】
2004043463.tif 000002
【０００９】
［式中、
Ｒ１及びＲ２はそれぞれ独立してＣ１〜Ｃ２０−アルキル、Ｃ４〜Ｃ１５−アリール又はＣ５〜Ｃ１６−アリールアルキルを表すか、又はＲ１及びＲ２は一緒になって直鎖状又は分枝鎖状のＣ３〜Ｃ１２−アルキレン基を表し、かつ
Ｒ３はＣ１〜Ｃ２０−アルキル、Ｃ１〜Ｃ２０−フルオロアルキル又はＣ４〜Ｃ１５−アリールを表す］で示される化合物の製造方法が見出され、前記方法は、式（ＩＩ）
【００１０】
【化７】
2004043463.tif 000003
【００１１】
［式中、
Ｒ１、Ｒ２及びＲ３は式（Ｉ）の項で定義された意味を表す］で示されるジアミン類を、
−水の存在で、及び
−有機溶剤の存在で、及び
−塩基の存在で、
式（ＩＩＩ）
Ｒ３ＳＯ２Ｘ　（ＩＩＩ）
［式中、
Ｘはフッ素、塩素、臭素又はヨウ素を表し、かつ
Ｒ３は式（Ｉ）の項で定義された意味を表す］で示されるハロゲン化スルホニル類と反応させることにより特徴付けられる。
【００１２】
本発明の範囲内で、一般的にか又は好ましい範囲内で記載された基の定義もしくは説明は、すなわち特定の範囲及び好ましい範囲が、任意に組み合わされてよい。
【００１３】
式（Ｉ）の化合物及び場合により式（ＩＩ）及び／又は（ＩＩＩ）の化合物はキラルである。本発明は、純粋な立体異性体（鏡像異性体及びジアステレオマー）並びに任意の所望の混合物、例えばラセミ体を明快に包含する。
【００１４】
好ましくは、Ｒ１及びＲ２は、同一にであり、かつそれぞれフェニルを表すか、又は一緒になって直鎖状のＣ３〜Ｃ８−アルキレン、例えば１，３−プロピレン又は１，４−ブチレンを表し、特に好ましくはＲ１及びＲ２は同一であり、かつそれぞれフェニルを表す。
【００１５】
Ｒ３は、好ましくは、それぞれ、Ｃ１〜Ｃ４−アルキル、Ｃ１〜Ｃ４−アルコキシ、Ｃ１〜Ｃ４−フルオロアルキル、フッ素及び塩素の群から選択されている０個、１個、２個、３個、４個又は５個の基でさらに置換されていてよいＣ１〜Ｃ４−アルキル、Ｃ１〜Ｃ４−フルオロアルキル、フェニル又はナフチルを表す。
【００１６】
Ｒ３は特に好ましくはメチル、トリフルオロメチル、ペンタフルオロエチル、ノナフルオロブチル、フェニル、ｐ−トリル、ｐ−エチルフェニル、ｐ−アニシル、ｐ−エトキシフェニル、ｐ−クロロフェニル、２，４，６−トリメチルフェニル、２，４，６−トリイソプロピルフェニル、ｐ−フルオロフェニル、ペンタフルオロフェニル及びナフチルを表す。
【００１７】
Ｒ３は、極めて特に好ましくはｐ−トリル、フェニル及びナフチルを表し、その際ｐ−トリルが最も際だって好ましい。
【００１８】
Ｘは好ましくはフッ素又は塩素を表し、特に好ましくは塩素を表す。
【００１９】
好ましくは、８０％ｅｅ又はそれ以上、特に好ましくは９０％ｅｅ又はそれ以上及び極めて特に好ましくは９８．５％ｅｅ又はそれ以上の光学純度を有する式（ＩＩ）のキラルな化合物が使用される。
【００２０】
光学純度は、次のものとして定義されている：
ｅｅ［Ｓ］＝（ｍ［Ｓ］−ｍ［Ｒ］）／ｍ（Ｓ＋Ｒ）
その際、
ｅｅ（Ｓ）は、鏡像異性体Ｓの光学純度、ｍ（Ｓ）は、鏡像異性体Ｓの物質量及びｍ（Ｒ）は鏡像異性体Ｒの物質量である。通常、“エナンチオマー過剰”百分率（％ｅｅ＝ｅｅ／１００）で記載される。
【００２１】
特に、本発明による方法は、式（ＩＩ）の次の化合物の製造に適している：
Ｎ−［（１Ｒ，２Ｒ）及び（１Ｓ，２Ｓ）−２−アミノ−１，２−ジフェニルエチル］−ｐ−トリルスルホンアミド、Ｎ−［（１Ｒ，２Ｒ）及び（１Ｓ，２Ｓ）−２−アミノ−１，２−ジフェニルエチル］−ｏ−トリルスルホンアミド、Ｎ−［（１Ｒ，２Ｒ）及び（１Ｓ，２Ｓ）−２−アミノ−１，２−ジフェニルエチル］−ｍ−トリルスルホンアミド、Ｎ−［（１Ｒ，２Ｒ）及び（１Ｓ，２Ｓ）−２−アミノ−１，２−ジフェニルエチル］−フェニルスルホンアミド、Ｎ−［（１Ｒ，２Ｒ）及び（１Ｓ，２Ｓ）−２−アミノ−１，２−ジフェニルエチル］−４−エチルフェニルスルホンアミド、Ｎ−［（１Ｒ，２Ｒ）及び（１Ｓ，２Ｓ）−２−アミノ−１，２−ジフェニルエチル］−３−エチルフェニルスルホンアミド、Ｎ−［（１Ｒ，２Ｒ）及び（１Ｓ，２Ｓ）−２−アミノ−１，２−ジフェニルエチル］−２−エチルフェニルスルホンアミド、Ｎ−［（１Ｒ，２Ｒ）及び（１Ｓ，２Ｓ）−２−アミノ−１，２−ジフェニルエチル］−２，４，６−トリメチルフェニルスルホンアミド、Ｎ−［（１Ｒ，２Ｒ）及び（１Ｓ，２Ｓ）−２−アミノ−１，２−ジフェニルエチル］−２，４，６−トリイソプロピルフェニルスルホンアミド、Ｎ−［（１Ｒ，２Ｒ）及び（１Ｓ，２Ｓ）−２−アミノ−１，２−ジフェニルエチル］−４−クロロフェニルスルホンアミド、Ｎ−［（１Ｒ，２Ｒ）及び（１Ｓ，２Ｓ）−２−アミノ−１，２−ジフェニルエチル］−３−クロロフェニルスルホンアミド、Ｎ−［（１Ｒ，２Ｒ）及び（１Ｓ，２Ｓ）−２−アミノ−１，２−ジフェニルエチル］−２−クロロフェニルスルホンアミド、Ｎ−［（１Ｒ，２Ｒ）及び（１Ｓ，２Ｓ）−２−アミノ−１，２−ジフェニルエチル］−４−フルオロフェニルスルホンアミド、Ｎ−［（１Ｒ，２Ｒ）及び（１Ｓ，２Ｓ）−２−アミノ−１，２−ジフェニルエチル］−３−フルオロフェニルスルホンアミド、Ｎ−［（１Ｒ，２Ｒ）及び（１Ｓ，２Ｓ）−２−アミノ−１，２−ジフェニルエチル］−２−フルオロフェニルスルホンアミド、Ｎ−［（１Ｒ，２Ｒ）及び（１Ｓ，２Ｓ）−２−アミノ−１，２−ジフェニルエチル］−４−メトキシフェニルスルホンアミド、Ｎ−［（１Ｒ，２Ｒ）及び（１Ｓ，２Ｓ）−２−アミノ−１，２−ジフェニルエチル］−３−メトキシフェニルスルホンアミド、Ｎ−［（１Ｒ，２Ｒ）及び（１Ｓ，２Ｓ）−２−アミノ−１，２−ジフェニルエチル］−２−メトキシフェニルスルホンアミド、Ｎ−［（１Ｒ，２Ｒ）及び（１Ｓ，２Ｓ）−２−アミノ−１，２−ジフェニルエチル］−１−ナフチルスルホンアミド、Ｎ−［（１Ｒ，２Ｒ）及び（１Ｓ，２Ｓ）−２−アミノ−１，２−ジフェニルエチル］−２−ナフチルスルホンアミド、Ｎ−［（１Ｒ，２Ｒ）及び（１Ｓ，２Ｓ）−２−アミノ−１，２−ジフェニルエチル］−ペンタフルオロフェニルスルホンアミド、Ｎ−［（１Ｒ，２Ｒ）及び（１Ｓ，２Ｓ）−２−アミノ−１，２−ジフェニルエチル］−メタンスルホンアミド、Ｎ−［（１Ｒ，２Ｒ）及び（１Ｓ，２Ｓ）−２−アミノ−１，２−ジフェニルエチル］−トリフルオロメタンスルホンアミド、Ｎ−［（１Ｒ，２Ｒ）及び（１Ｓ，２Ｓ）−２−アミノシクロヘキシル］−ｐ−トリルスルホンアミド、Ｎ−［（１Ｒ，２Ｒ）及び（１Ｓ，２Ｓ）−２−アミノシクロヘキシル］−ｏ−トリルスルホンアミド、Ｎ−［（１Ｒ，２Ｒ）及び（１Ｓ，２Ｓ）−２−アミノシクロヘキシル］−ｍ−トリルスルホンアミド、Ｎ−［（１Ｒ，２Ｒ）及び（１Ｓ，２Ｓ）−２−アミノシクロヘキシル］フェニルスルホンアミド、Ｎ−［（１Ｒ，２Ｒ）及び（１Ｓ，２Ｓ）−２−アミノシクロヘキシル］−４−エチルフェニルスルホンアミド、Ｎ−［（１Ｒ，２Ｒ）及び（１Ｓ，２Ｓ）−２−アミノシクロヘキシル］−３−エチルフェニルスルホンアミド、Ｎ−［（１Ｒ，２Ｒ）及び（１Ｓ，２Ｓ）−２−アミノシクロヘキシル］−２−エチルフェニルスルホンアミド、Ｎ−［（１Ｒ，２Ｒ）及び（１Ｓ，２Ｓ）−２−アミノシクロヘキシル］−２，４，６−トリメチルフェニルスルホンアミド、Ｎ−［（１Ｒ，２Ｒ）及び（１Ｓ，２Ｓ）−２−アミノシクロヘキシル］−２，４，６−トリイソプロピルフェニルスルホンアミド、Ｎ−［（１Ｒ，２Ｒ）及び（１Ｓ，２Ｓ）−２−アミノシクロヘキシル］−４−クロロフェニルスルホンアミド、Ｎ−［（１Ｒ，２Ｒ）及び（１Ｓ，２Ｓ）−２−アミノシクロヘキシル］−３−クロロフェニルスルホンアミド、Ｎ−［（１Ｒ，２Ｒ）及び（１Ｓ，２Ｓ）−２−アミノシクロヘキシル］−２−クロロフェニルスルホンアミド、Ｎ−［（１Ｒ，２Ｒ）及び（１Ｓ，２Ｓ）−２−アミノシクロヘキシル］−４−フルオロフェニルスルホンアミド、Ｎ−［（１Ｒ，２Ｒ）及び（１Ｓ，２Ｓ）−２−アミノシクロヘキシル］−３−フルオロフェニルスルホンアミド、Ｎ−［（１Ｒ，２Ｒ）及び（１Ｓ，２Ｓ）−２−アミノシクロヘキシル］−２−フルオロフェニルスルホンアミド、Ｎ−［（１Ｒ，２Ｒ）及び（１Ｓ，２Ｓ）−２−アミノシクロヘキシル］−４−メトキシフェニルスルホンアミド、Ｎ−［（１Ｒ，２Ｒ）及び（１Ｓ，２Ｓ）−２−アミノシクロヘキシル］−３−メトキシフェニルスルホンアミド、Ｎ−［（１Ｒ，２Ｒ）及び（１Ｓ，２Ｓ）−２−アミノシクロヘキシル］−２−メトキシフェニルスルホンアミド、Ｎ−［（１Ｒ，２Ｒ）及び（１Ｓ，２Ｓ）−２−アミノシクロヘキシル］−１−ナフチルスルホンアミド、Ｎ−［（１Ｒ，２Ｒ）及び（１Ｓ，２Ｓ）−２−アミノ−シクロヘキシル］−２−ナフチルスルホンアミド、Ｎ−［（１Ｒ，２Ｒ）及び（１Ｓ，２Ｓ）−２−アミノシクロヘキシル］−ペンタフルオロフェニルスルホンアミド、Ｎ−［（１Ｒ，２Ｒ）及び（１Ｓ，２Ｓ）−２−アミノシクロヘキシル］−メタンスルホンアミド、Ｎ−［（１Ｒ，２Ｒ）及び（１Ｓ，２Ｓ）−２−アミノシクロヘキシル］−トリフルオロメタンスルホンアミド、Ｎ−［（１Ｒ，２Ｒ）及び（１Ｓ，２Ｓ）−２−アミノシクロペンチル］−ｐ−トリルスルホンアミド、Ｎ−［（１Ｒ，２Ｒ）及び（１Ｓ，２Ｓ）−２−アミノシクロペンチル］−ｏ−トリルスルホンアミド、Ｎ−［（１Ｒ，２Ｒ）及び（１Ｓ，２Ｓ）−２−アミノシクロペンチル］−ｍ−トリルスルホンアミド、Ｎ−［（１Ｒ，２Ｒ）及び（１Ｓ，２Ｓ）−２−アミノシクロペンチル］−フェニルスルホンアミド、Ｎ−［（１Ｒ，２Ｒ）及び（１Ｓ，２Ｓ）−２−アミノシクロペンチル］−４−エチルフェニルスルホンアミド、Ｎ−［（１Ｒ，２Ｒ）及び（１Ｓ，２Ｓ）−２−アミノシクロペンチル］−３−エチルフェニルスルホンアミド、Ｎ−［（１Ｒ，２Ｒ）及び（１Ｓ，２Ｓ）−２−アミノシクロペンチル］−２−エチルフェニルスルホンアミド、Ｎ−［（１Ｒ，２Ｒ）及び（１Ｓ，２Ｓ）−２−アミノシクロペンチル］−２，４，６−トリメチルフェニルスルホンアミド、Ｎ−［（１Ｒ，２Ｒ）及び（１Ｓ，２Ｓ）−２−アミノシクロペンチル］−２，４，６−トリイソプロピルフェニルスルホンアミド、Ｎ−［（１Ｒ，２Ｒ）及び（１Ｓ，２Ｓ）−２−アミノシクロペンチル］−４−クロロフェニルスルホンアミド、Ｎ−［（１Ｒ，２Ｒ）及び（１Ｓ，２Ｓ）−２−アミノシクロペンチル］−３−クロロフェニルスルホンアミド、Ｎ−［（１Ｒ，２Ｒ）及び（１Ｓ，２Ｓ）−２−アミノシクロペンチル］−２−クロロフェニルスルホンアミド、Ｎ−［（１Ｒ，２Ｒ）及び（１Ｓ，２Ｓ）−２−アミノシクロペンチル］−４−フルオロフェニルスルホンアミド、Ｎ−［（１Ｒ，２Ｒ）及び（１Ｓ，２Ｓ）−２−アミノシクロペンチル］−３−フルオロフェニルスルホンアミド、Ｎ−［（１Ｒ，２Ｒ）及び（１Ｓ，２Ｓ）−２−アミノシクロペンチル］−２−フルオロフェニルスルホンアミド、Ｎ−［（１Ｒ，２Ｒ）及び（１Ｓ，２Ｓ）−２−アミノシクロペンチル］−４−メトキシフェニルスルホンアミド、Ｎ−［（１Ｒ，２Ｒ）及び（１Ｓ，２Ｓ）−２−アミノシクロペンチル］−３−メトキシフェニルスルホンアミド、Ｎ−［（１Ｒ，２Ｒ）及び（１Ｓ，２Ｓ）−２−アミノシクロペンチル］−２−メトキシフェニルスルホンアミド、Ｎ−［（１Ｒ，２Ｒ）及び（１Ｓ，２Ｓ）−２−アミノシクロペンチル］−１−ナフチルスルホンアミド、Ｎ−［（１Ｒ，２Ｒ）及び（１Ｓ，２Ｓ）−２−アミノシクロペンチル］−２−ナフチルスルホンアミド、Ｎ−［（１Ｒ，２Ｒ）及び（１Ｓ，２Ｓ）−２−アミノシクロペンチル］−ペンタフルオロフェニルスルホンアミド、Ｎ−［（１Ｒ，２Ｒ）及び（１Ｓ，２Ｓ）−２−アミノシクロペンチル］−メタンスルホンアミド並びにＮ−［（１Ｒ，２Ｒ）及び（１Ｓ，２Ｓ）−２−アミノシクロペンチル］−トリフルオロメタンスルホンアミド又はそれぞれの鏡像異性体の混合物、特にラセミ体。
【００２２】
本発明による方法は、水、塩基及び有機溶剤の存在で実施される。適している有機溶剤は、例えば次のものである：
アミド類、例えばジメチルホルムアミド、Ｎ−メチルピロリジノン、１６個までの炭素原子を有する、場合によりハロゲン化された脂肪族又は芳香族の溶剤、例えばトルエン、ｏ−、ｍ−、ｐ−キシレン、四塩化炭素、クロロホルム、ジクロロメタン、クロロベンゼン、異性体ジクロロベンゼン類、フルオロベンゼン、ニトリル類、例えばアセトニトリル及びベンゾニトリル、スルホキシド類、例えばジメチルスルホキシド又はその混合物。
【００２３】
有利には、有機溶剤は、反応混合物が２つの液相を形成するように選択される。このためには、１６個までの炭素原子を有する、場合によりハロゲン化された脂肪族又は芳香族の溶剤が特に適しており、かつ四塩化炭素、クロロホルム、ジクロロメタン及びクロロベンゼンが好ましく、かつジクロロメタンがより際だって好ましい。
【００２４】
水と有機溶剤との体積比は、例えば２０：１〜１：２０であってよく、好ましくは１０：１〜１：１０の比及び特に好ましくは５：１〜１：５の比である。
【００２５】
好ましい一実施態様において、本発明による方法は、反応混合物が２つの液相を形成し、かつ水相が２５℃で８又はそれ以上、好ましくは１１〜１４のｐＨを有するように実施される。
【００２６】
ｐＨの調節は塩基の使用により行われる。
【００２７】
有用な塩基は、例えばアルカリ金属水酸化物及びアルカリ土類金属水酸化物及びアルカリ金属炭酸塩及びアルカリ土類金属炭酸塩が適しており、特に好ましくは水酸化カリウム及び水酸化ナトリウムである。
【００２８】
使用される塩基のモル全量は、使用された式（ＩＩ）のジアミンに対して例えば１〜１０当量であってよく、好ましくは１．１〜３当量である。より多量の塩基が可能であるが、しかし不経済である。
【００２９】
塩基の全量は、反応の開始前か又は反応の過程で少なくとも部分的に添加されてよい。
【００３０】
式（ＩＩ）の化合物と式（ＩＩＩ）の化合物とのモル比は、例えば０．１〜１．３当量、好ましくは０．５〜１．３当量であってよく、特に好ましくは０．８〜１．１当量であり、極めて特に好ましくは０．９９〜１．０３当量である。
【００３１】
反応の際の温度は、例えば−３０℃〜１００℃、好ましくは−２０〜５０℃及び特に好ましくは０〜３０℃であってよい。
【００３２】
反応期間は、例えば１０分ないし２４時間、好ましくは３０ｍｉｎないし２ｈであってよい。
【００３３】
反応混合物が２つの液相を含有する場合には、十分な完全混合を保証することが特に有利である。これは、例えば激しい撹拌により行われてよい。
【００３４】
反応溶液からは、生成物は、例えばハロゲン化水素酸塩への変換、ハロゲン化水素酸塩の結晶化又は沈殿及び塩基を用いてのハロゲン化水素酸塩からの式（Ｉ）の化合物の遊離により単離されることができる。
【００３５】
ハロゲン化水素酸塩、好ましくは塩化水素塩への反応は、有利には、反応溶液と、水性ハロゲン化水素酸、好ましくは水性塩酸との反応により行われてよい。
【００３６】
その代わりに、式（Ｉ）の化合物は、適している溶剤又は溶剤混合物からかもしくは反応溶液からの結晶化によるか又はクロマトグラフィーにより、さらに精製されてもよい。
【００３７】
本発明による方法により製造可能な反応溶液を、水相の除去及び場合により有機相の乾燥後に、直接にかつさらに精製することなく、使用することが特に有利であることが判明している。
【００３８】
本発明は、故にまた、式（Ｉ）
【００３９】
【化８】
2004043463.tif 000004
【００４０】
［式中、
Ｒ１及びＲ２はそれぞれ独立してＣ１〜Ｃ２０−アルキル、Ｃ４〜Ｃ１５−アリール又はＣ５〜Ｃ１６−アリールアルキルを表すか、又はＲ１及びＲ２は一緒になって直鎖状又は分枝鎖状のＣ３〜Ｃ１２−アルキレン基を表し、かつ
Ｒ３はＣ１〜Ｃ２０−アルキル、Ｃ１〜Ｃ２０−フルオロアルキル又はＣ４〜Ｃ１５−アリールを表す］で示される化合物を含有している溶液を包含し、前記溶液は、
ａ）式（ＩＩ）
【００４１】
【化９】
2004043463.tif 000005
【００４２】
［式中、
Ｒ１、Ｒ２及びＲ３は式（Ｉ）の項で定義された意味を表す］で示される化合物を、
−水の存在で、及び
−有機溶剤の存在で、及び
−塩基の存在で、
式（ＩＩＩ）
Ｒ３ＳＯ２Ｘ　（ＩＩＩ）
［式中、
Ｘはフッ素、塩素、臭素又はヨウ素を表し、かつ
Ｒ３は式（Ｉ）の項で定義された意味を表す］で示されるハロゲン化スルホニル類と反応させ、かつ
ｂ）少なくとも部分的に水を除去する
ことにより得ることができる。
【００４３】
好ましくは、反応は、２つの液相を形成する反応混合物中で行われる。この場合に、水の除去は、例えば水相の除去及び場合により引き続いて有機相の乾燥により行われてよい。
【００４４】
有機相のための乾燥法は、当業者には十分に公知であり、かつ例えば場合による減圧下での共沸蒸留、硫酸ナトリウム又は硫酸マグネシウム上での乾燥、モレキュラーシーブ及び有機溶剤に対して不活性の他の乾燥剤及び引き続いてろ過を包含する。
【００４５】
好ましくは、本発明による溶液は、２体積％又はそれ未満、好ましくは１％又はそれ未満の含水量を有する。
【００４６】
式（Ｉ）の化合物を含有している本発明による溶液並びに本発明により製造可能な式（Ｉ）の化合物は、触媒作用、特に均一系触媒作用における使用にかもしくは金属錯体、特に遷移金属錯体の製造に特に適している。
【００４７】
好ましくは、式（Ｉ）の化合物を含有している本発明による溶液並びに本発明により製造可能な式（Ｉ）の化合物は、ルテニウム、ロジウム又はイリジウム錯体の製造に及び水素化における使用に、特にルテニウム、ロジウム又はイリジウム錯体、水素供与体及び塩基の存在でのイミン類及びケトン類の水素化に、いわゆる連鎖移動水素化（ｔｒａｎｓｆｅｒ　ｈｙｄｒｏｇｅｎａｔｉｏｎ）に適している。典型的な水素供与体の例は、ギ酸及びイソプロパノールであり、典型的な塩基の例は、アルカリ金属水酸化物及びアミン類、特にトリエチルアミンである。
【００４８】
接触還元方法としての連鎖移動水素化に関する概要は、例えばＺａｓｓｉｎｏｖｉｃｈ他，Ｃｈｅｍ．　Ｒｅｖ．　１９９２，　９２，　１０５１−１０６９中及びＮｏｙｏｒｉ他，　Ａｃｃ．　Ｃｈｅｍ．　Ｒｅｓ．　１９９７，　３０，９７−１０２中及びＷｉｌｌｓ他，　Ｔｅｔｒａｈｅｄｒｏｎ，　Ａｓｙｍｍｅｔｒｙ，　１９９９，　２０４５中に与えられている。
【００４９】
本発明は、さらに、
ａ）式（ＩＩ）
【００５０】
【化１０】
2004043463.tif 000006
【００５１】
［式中、
Ｒ１及びＲ２はそれぞれ独立してＣ１〜Ｃ２０−アルキル、Ｃ４〜Ｃ１５−アリール又はＣ５〜Ｃ１６−アリールアルキルを表すか、又はＲ１及びＲ２は一緒になって直鎖状又は分枝鎖状のＣ３〜Ｃ１２−アルキレン基を表す］で示される化合物を、
−水の存在で、及び
−有機溶剤の存在で、及び
−塩基の存在で、
式（ＩＩＩ）
Ｒ３ＳＯ２Ｘ　（ＩＩＩ）
［式中、
Ｘはフッ素、塩素、臭素又はヨウ素を表し、かつ
Ｒ３はＣ１〜Ｃ２０−アルキル、Ｃ１〜Ｃ２０−フルオロアルキル又はＣ４〜Ｃ１５−アリールを表す］で示されるハロゲン化スルホニル類と反応させ、
ｂ）少なくとも部分的に水を除去し、かつ
ｃ）段階ｂ）において得られた溶液を、式（ＩＶ）
［ＭＸｎ（Ｒ４）］２　（ＩＶ）
［式中、
Ｍはルテニウム、ロジウム又はイリジウムを表し、
Ｒ４は、それぞれ独立してＣ１〜Ｃ８−アルキル、ベンジル及びフェニルの群から選択されている６個までの基で置換されていてよい環炭素原子６〜１２個を有する芳香族化合物を表すか、又はそれぞれ５個までの基で置換されたシクロペンタジエニル又はインデニルを表し、かつ
Ｘは、例えば及び好ましくは塩素、臭素又はヨウ素を表し、特に好ましくは塩素を表し、かつ
ｎは、Ｍがルテニウムを表す場合には、２であり、
ｎは、Ｍがロジウム又はイリジウムを表す場合には、１である］で示される化合物と、場合により及び好ましくは第三アミンの存在で、反応させる
ことにより得ることができる触媒を包含する。
【００５２】
好ましくは、反応は、２つの液相を形成する反応混合物中で行われる。この場合に、水の除去は、例えば水相の除去及び場合により有機相の乾燥により行われてよい。
【００５３】
例えば及び好ましくは、Ｍがルテニウムを表しかつｎが２に等しい式（ＩＶ）の化合物が使用される。
【００５４】
好ましくは、式（ＩＶ）の化合物中でＲ４は、それぞれ独立してメチル、エチル、ｎ−プロピル、イソプロピル及びｔ−ブチルの群から選択されている１個、２個、３個、４個、５個又は６個の基でそれぞれ置換されていてよいベンゼン又はナフタレンを表すか、又はペンタメチルシクロペンタジエニルを表す。
【００５５】
好ましくは、式（ＩＶ）の化合物中ではＲ４はメシチレン、ベンゼン又はクメンを表す。
【００５６】
式（ＩＶ）の化合物は、次のものを包含する：
（ベンゼン）ジクロロルテニウム−二量体、（メシチレン）ジクロロルテニウム−二量体、（クメン）ジクロロルテニウム−二量体、（ペンタメチルシクロペンタジエニル）（クロロ）ロジウム−二量体及び（ペンタメチルシクロペンタジエニル）（クロロ）イリジウム−二量体。
【００５７】
本発明の範囲内で、式（ＩＶ）の化合物として（クメン）ジクロロルテニウム−二量体が特に好ましい。
【００５８】
好ましい一実施態様において、当初に使用された式（ＩＩ）の化合物と式（ＩＶ）の化合物とのモル比は２：１〜３：１、特に好ましくは２．２：１〜２．６：１である。
【００５９】
好ましくは、本発明による触媒は、水素化における使用に、特に水素供与体及び塩基の存在でのイミン類及びケトン類の水素化に、いわゆる連鎖移動水素化に適している。
【００６０】
本発明の利点は、式（Ｉ）の化合物が高い収率及び極めて良好な選択率で得られることができることにある。さらに、スルホニル化の生成物が、触媒の製造に、中間単離なしで使用されることができることが見出され、このことは、工業的な使用におけるかなりの単純化を構成する。
【００６１】
【実施例】
例１
三つ口フラスコ中で、Ｓ，Ｓ−ジフェニルエチレンジアミン５．０ｇを、ＣＨ２Ｃｌ２　４０ｍｌ中に溶解させる。引き続いて１Ｍ水酸化ナトリウム溶液４０ｍｌを添加し、かつ混合物を、氷浴を用いて冷却する。その後、６０ｍｉｎかけてＣＨ２Ｃｌ２　８０ｍｌ中の塩化ｐ−トルエンスルホニル４．４９ｇからなる溶液を、０℃で滴下する。０℃で１ｈ後、反応を停止させる。有機相を除去し、水で洗浄し、かつ溶剤をロータリーエバポレーターで除去する。粗ジアミン：モノ置換生成物：ジ置換生成物の選択率：３．５：９３：３．５。
【００６２】
トルエン：ヘキサンから結晶化させる。
【００６３】
収率：結晶質の生成物７．８ｇ（９１％）、モノ置換生成物：ジ置換生成物の選択率：９５．５：４．５。
【００６４】
例２（比較のため）
三つ口フラスコ中で、ＣＨ２Ｃｌ２　４０ｍｌ中の塩化ｐ−トルエンスルホニル２．２１ｇを、トリエチルアミン３．０ｍｌ（１．８当量）と混合する。混合物を０℃に冷却し、かつＳ，Ｓ−ジフェニルエチレンジアミン２．４６ｇを添加する。０℃で１ｈ及びＲＴで４ｈ後に、反応生成物を後処理する。混合物をジクロロメタン５０ｍｌで希釈し、かつ０．５Ｍ　ＮａＯＨ　５０ｍｌで洗浄し、濁った有機相を除去し、水２０ｍｌ及びＮａＣｌ溶液５０ｍｌで洗浄し、かつ溶剤をロータリーエバポレーターで除去する。混合物をトルエンと混合し、かつ残りのトリエチルアミンを共沸により除去する。
【００６５】
収率：粗生成物２．９３ｇ（“６９％”）、モノ置換生成物：ジ置換生成物の選択率：８３：１７。
【００６６】
例３
三つ口フラスコ中で、Ｓ，Ｓ−ジフェニルエチレンジアミン２．０ｇを、ＣＨ２Ｃｌ２　２０ｍｌ中に溶解させる。引き続いて２Ｍ水酸化ナトリウム溶液１０ｍｌを添加し、かつ混合物を、氷浴を用いて冷却する。その後、２０ｍｉｎかけてＣＨ２Ｃｌ２　２０ｍｌ中の塩化メシチルスルホニル２．０８ｇからなる溶液を０℃で滴下する。０℃で１ｈ後、反応生成物を後処理する。有機相を除去し、水及び塩化ナトリウム溶液で洗浄し、かつ溶剤をロータリーエバポレーターで除去する。３．９ｇの残留物は、ジアミン：モノ置換生成物：ジ置換生成物の選択率：１．７：９２：６．５を示す。
【００６７】
トルエン／ヘキサンからの再結晶は、結晶質の生成物３．１ｇ（８３％）が得られる、モノ置換生成物：ジ置換生成物の選択率：９４．８：５．２。
【００６８】
例４（比較のため）
三つ口フラスコ中で、Ｓ，Ｓ−ジフェニルエチレンジアミン２．０ｇを、ＣＨ２Ｃｌ２　２０ｍｌ中に溶解させ、Ｅｔ３Ｎ　１．９８ｍｌ（１．５当量）を添加し、かつ混合物を０℃に冷却する。ＣＨ２Ｃｌ２　２０ｍｌ中の塩化メシチルスルホニル２．０８ｇの溶液をこの温度で２０ｍｉｎかけて滴加する。混合物を１時間かけて室温に戻す。残留物を水２０ｍｌ及びＮａＣｌ溶液５０ｍｌで洗浄し、かつ溶剤をロータリーエバポレーターで除去する。残留物をトルエンと混合し、かつ残りのトリエチルアミンを共沸により除去する。
【００６９】
モノ：ジ置換生成物の選択率８４：１６。
【００７０】
例５
三つ口フラスコ中で、Ｓ，Ｓ−ジフェニルエチレンジアミン２．０ｇを、ＣＨ２Ｃｌ２　２０ｍｌ中に溶解させる。引き続いて、２Ｍ水酸化ナトリウム溶液１０ｍｌを添加し、かつ混合物を、氷浴を用いて冷却する。その後、２０ｍｉｎかけてＣＨ２Ｃｌ２　２０ｍｌ中の塩化フェニルスルホニル１．６８ｇからなる溶液を、０℃で滴下する。０℃で１ｈ後、反応生成物を室温で１２ｈさらに撹拌する。有機相を除去し、水及び塩化ナトリウム溶液で洗浄し、かつ溶剤をロータリーエバポレーターで除去する。３．１ｇの残留物は、ジアミン：モノ置換生成物：ジ置換生成物の選択率：２：９４：４を示す。
【００７１】
トルエン／ヘキサンからの再結晶は、結晶質の生成物２．９ｇ（８７％）が得られる、モノ置換生成物：ジ置換生成物の選択率：９５：５。
【００７２】
例６（比較のため）
三つ口フラスコ中で、Ｓ，Ｓ−ジフェニルエチレンジアミン２．０ｇを、ＣＨ２Ｃｌ２　２０ｍｌ中に溶解させ、Ｅｔ３Ｎ　１．９８ｍｌ（１．５当量）を添加し、かつ混合物を０℃に冷却する。ＣＨ２Ｃｌ２　２０ｍｌ中の塩化フェニルスルホニル１．６８ｇの溶液をこの温度で２０ｍｉｎかけて滴加する。混合物を１時間かけてＲＴに戻し、かつさらに室温で１２ｈ撹拌する。これを水２０ｍｌ及びＮａＣｌ溶液５０ｍｌで洗浄し、かつ溶剤をロータリーエバポレーターで除去する。残留物をトルエンと混合し、かつ残りのトリエチルアミンを共沸により除去する。
【００７３】
モノ：ジ置換生成物の選択率：９１：９。
【００７４】
例７
三つ口フラスコ中で、Ｓ，Ｓ−ジフェニルエチレンジアミン１．０ｇを、ＣＨ２Ｃｌ２　２０ｍｌ中に溶解させる。引き続いて１Ｍ水酸化ナトリウム溶液１０ｍｌを添加し、かつ混合物を、氷浴を用いて冷却する。その後、２０ｍｉｎかけてＣＨ２Ｃｌ２　２０ｍｌ中の塩化ペンタフルオロフェニルスルホニル０．７０ｇからなる溶液を、０℃で滴下する。０℃で１ｈ後、反応生成物を室温で１２ｈさらに撹拌する。有機相を除去し、水及び塩化ナトリウム溶液で洗浄し、かつ溶剤をロータリーエバポレーターで除去する。
【００７５】
結晶質の生成物１．５ｇ（７２％）が単離される、モノ置換生成物：ジ置換生成物の選択率：８３：１７。
【００７６】
例８（比較のため）
三つ口フラスコ中で、Ｓ，Ｓ−ジフェニルエチレンジアミン１．０ｇをＣＨ２Ｃｌ２　２０ｍｌ中に溶解させる。Ｅｔ３Ｎ　０．９９ｍｌ（１．５当量）を添加し、かつ混合物を０℃に冷却する。ＣＨ２Ｃｌ２　２０ｍｌ中の塩化ペンタフルオロフェニルスルホニル０．７０ｇの溶液をこの温度で２０ｍｉｎかけて滴加する。混合物を１時間かけてＲＴに戻し、かつさらに１２ｈ室温で撹拌する。これを水２０ｍｌ及びＮａＣｌ溶液５０ｍｌで洗浄し、かつ溶剤をロータリーエバポレーターで除去する。残留物をトルエンと混合し、かつ残りのトリエチルアミンを共沸により除去する。
【００７７】
モノ：ジ置換生成物の選択率：７６：２４。
【００７８】
例９
配位子の単離なしでのその場での触媒ストック溶液の製造
シュレンクフラスコ中で、Ｓ，Ｓ−ジフェニルエチレンジアミン０．４ｇを、ＣＨ２Ｃｌ２　１０ｍｌ中に溶解させる。引き続いて１Ｍ水酸化ナトリウム溶液４ｍｌを添加し、かつ混合物を、氷浴を用いて冷却する。その後、１０ｍｉｎかけて、激しく撹拌しながらＣＨ２Ｃｌ２　１０ｍｌ中の塩化トシル０．３６ｇからなる溶液を、０℃で滴下する。０℃で１ｈ後、相を分離する。有機相を除去し、水及びＮａＣｌ溶液で洗浄する。
【００７９】
こうして製造された配位子溶液を、脱ガスし、かつ［（クメン）ＲｕＣｌ２］２０．５６ｇ（＝Ｓ，Ｓ−ジフェニルエチレンジアミンに対して０．４４ｍｏｌ当量）及びＥｔ３Ｎ　５５０μｌを有するシュレンク容器中で２０ｍｉｎ撹拌する。
【００８０】
例１０
例９において製造された触媒溶液の半分を、この実験に使用する。
【００８１】
スパージング撹拌機、還流冷却器及び温度計を備えた５００ｍｌ四つ口フラスコ中で、トリエチルアミン７０ｍｌ及びＨＣＯＯＨ　２０ｍｌからギ酸／Ｅｔ３Ｎ混合物を、ＨＣＯＯＨを撹拌及び氷冷下に５ｍｉｎかけて滴下漏斗によりＥｔ３Ｎにゆっくりと滴加することにより製造する。この２相の混合物に、メチル３−ケト−３−（２−チオフェニル）プロパノエート７６ｇ（Ｓ／Ｃ＝５００）を添加し、均質な黄色の溶液をジクロロメタン５０ｍｌと混合し、かつ全混合物をアルゴンの導通により２０ｍｉｎ脱ガスする。混合物を、４０℃に温度調節し、かつ例５からの触媒溶液の半分を、激しく撹拌しながらシリンジにより一度に反応バッチに添加する。混合物を、アルゴン導通下に１８ｈ撹拌し、次いで反応溶液を水及びＣＨ２Ｃｌ２で希釈し、混合物を１０ｍｉｎ後撹拌し、相分離後にＨ２Ｏ相をＣＨ２Ｃｌ２で２回抽出する。組み合わせた有機相を、水及びＮａＣｌ溶液で洗浄し、ＭｇＳＯ４上で乾燥させ、ろ過し、かつ次いで溶剤をロータリーエバポレーターで除去する。メチル３−Ｓ−ヒドロキシ−３−（２−チオフェニル）プロパノエート７５ｇが得られる（９７．７％）。
【００８２】
変換率（ＧＣ）：９９．９％。ｅｅ（Ｃｈｉｒａｌ−ＧＣ、ＩＶＡＤＥＸ　３）：９７．２％．
例１１（比較のため）
例１０のような試験実施ではあるが、ただし触媒として独立して調製された［Ｎ−［（１Ｒ，２Ｒ）−２−（アミノ−κＮ）−１，２−ジフェニルエチル］−ｐ−トリルスルホンアミデート−κＮ］クロロ［（η６）−クメン］−ルテニウム（ＩＩ）　０．５２ｇを使用する。混合物を１８ｈ撹拌し、かつ次に例６に記載されているようにして後処理する。メチル３−Ｒ−ヒドロキシ−３−（２−チオフェニル）プロパノエート７５ｇが得られる（９７．７％）。
【００８３】
変換率：９９．５％。ｅｅ：９６．９％。
【００８４】
例１２
スパージング撹拌機、還流冷却器及び温度計を備えた２５０ｍｌ四つ口フラスコ中で、トリエチルアミン４１ｍｌ及びＨＣＯＯＨ　１２ｍｌからギ酸／Ｅｔ３Ｎ混合物を、ＨＣＯＯＨを撹拌及び氷冷下に５ｍｉｎかけて滴下漏斗によりＥｔ３Ｎにゆっくりと滴加することにより製造する。この２相の混合物に、４−ブロモアセトフェノン４９．５ｇ（Ｓ／Ｃ＝３００）を添加し、均質な黄色の溶液をジクロロメタン３０ｍｌと混合し、かつ全混合物を、アルゴンの導通により２０ｍｉｎ脱ガスする。室温でかつ激しく撹拌しながらシリンジにより、例９からの触媒溶液の半分を一度に反応バッチに添加する。混合物を、アルゴン導通下に１８ｈ撹拌し、次に水及びＣＨ２Ｃｌ２で希釈し、混合物を１０ｍｉｎ後撹拌し、相分離後にＨ２Ｏ相をＣＨ２Ｃｌ２で２回抽出する。組み合わせた有機相を、ＮａＣｌ溶液で洗浄し、ＭｇＳＯ４上で乾燥させ、ろ過し、かつ次いで溶剤をロータリーエバポレーターで除去する。変換率は９９．５％（ＧＣ）である。ｅｅ（Ｃｈｉｒａｌ−ＧＣ）：９３．９％。
【００８５】
油状で粘稠な残留物を、少しのヘキサンと混合し、かつ−２０℃で結晶化させる。最初の結晶中に白色で結晶質の生成物２３ｇ（４６％）が得られる。ｐ−ブロモ−１−フェニルエタン−１−オール（ｅｅ：＞９９％）
例１３（比較のため）
実施を例１２に類似に行うが、基質として４−ブロモアセトフェノン４．９８ｇ及び触媒として［Ｎ−［（１Ｒ，２Ｒ）−２−（アミノ−κＮ）−１，２−ジフェニルエチル］−ｐ−トリルスルホンアミデート−κＮ］クロロ［（η６）−１，３，５−トリメチルベンゼン］−ルテニウム（ＩＩ）　３１ｍｇを使用するという差異を伴う。
【００８６】
４８ｈ後の反応時間に（最適化せず）、＞９９％変換率を達成する。粗生成物は９５．３％の鏡像異性体過剰を有する。−２０℃でのヘキサンからの結晶化により、精製は＞９９％鏡像異性体過剰で成功する。
【００８７】
例１４
スパージング撹拌機、還流冷却器及び温度計を備えた２５０ｍｌ四つ口フラスコ中で、トリエチルアミン４１ｍｌ及びＨＣＯＯＨ　１２ｍｌからギ酸／Ｅｔ３Ｎ混合物を、ＨＣＯＯＨを撹拌及び氷冷下に５ｍｉｎかけて滴下漏斗によりＥｔ３Ｎにゆっくりと滴加することにより製造する。この２相の混合物に、２−ブロモアセトフェノン４９．５ｇ（Ｓ／Ｃ＝３００）を添加し、均質な黄色の溶液をジクロロメタン３０ｍｌと混合し、かつ全混合物をアルゴンの導通により２０ｍｉｎ脱ガスする。混合物を２５℃に温度調節し、かつ例９に類似に製造された触媒溶液（バッチの半分）を、激しく撹拌しながら、シリンジにより一度に反応バッチに添加する。混合物を、アルゴン下に１８ｈ撹拌し、水及びＣＨ２Ｃｌ２で希釈し、混合物を１０ｍｉｎ後撹拌し、相分離後にＨ２Ｏ相をＣＨ２Ｃｌ２で２回抽出する。組み合わせた有機相を、ＮａＣｌ溶液で洗浄し、ＭｇＳＯ４上で乾燥させ、ろ過し、かつ次いで溶剤をロータリーエバポレーターで除去する。変換率は９９．８％（ＧＣ）である。ｅｅ（Ｃｈｉｒａｌ−ＧＣ）：９２．６％。
【００８８】
残留物をヘキサン中に溶解させ、かつ−２０℃で結晶化させる。最初の結晶中に白色で結晶質の生成物２−ブロモ−１−フェニルエタン−１−オール（ｅｅ：＞９９．５％）３５ｇ（７０％）が得られる。